(57)【要約】【課題】設置した筆記用紙への記入中でも再度の筆記用紙設置時でも、上記筆記用紙の位置ずれが生じないようにすることができる下敷き板付き入力デバイスを提供する。【解決手段】四角形状の入力用中空部Ｓを有する四角枠状の入力デバイスＡの裏面に、この入力デバイスＡの一端縁を軸として回動自在となるよう、下敷き板５１が取り付けられている。入力デバイスＡは、入力用中空部Ｓを有する四角枠状の光導波路Ｗを備えている。下敷き板５１の表面には、筆記用紙の位置決め手段（突起部５１ａ等）が設けられており、下敷き板５１の表面と入力デバイスＡの裏面との間は、筆記用紙７０を挟持する挟持部となっている。【選択図】図１
2013033444.tif 000002
【特許請求の範囲】
【請求項１】
枠に囲まれた空間が入力用中空部になっている枠状板と、この枠状板において互いに対向する一方の部分に設けられた発光手段と、上記枠状板の他方の部分に設けられ上記発光手段からの出射光を受光する受光手段とを有する入力デバイスと、この入力デバイスの一端縁を軸として回動自在に上記入力デバイスの裏面に取り付けられた下敷き板とからなり、上記下敷き板の表面に、筆記用紙の位置決め手段が設けられているとともに、上記下敷き板の表面と上記入力デバイスの裏面との間が、上記筆記用紙を挟持する挟持部に形成されていることを特徴とする下敷き板付き入力デバイス。
【請求項２】
上記筆記用紙の位置決め手段が、上記筆記用紙に予め形成されている複数の貫通孔に挿入する複数の突起部である請求項１記載の下敷き板付き入力デバイス。
【請求項３】
上記筆記用紙の位置決め手段が、上記筆記用紙の外周縁を示す目印線である請求項１記載の下敷き板付き入力デバイス。
【請求項４】
上記筆記用紙の位置決め手段が、上記筆記用紙の外周縁に対応して配置された滑り止め材である請求項１記載の下敷き板付き入力デバイス。
【請求項５】
上記筆記用紙の位置決め手段が、上記筆記用紙の外周縁に対応する外周側面を有する、上記筆記用紙を載置する載置台である請求項１記載の下敷き板付き入力デバイス。
【請求項６】
上記載置台が形成されて厚くなっている下敷き板の部分の内部が、上記入力デバイスの駆動用電池を収容する収容部に形成されている請求項５記載の下敷き板付き入力デバイス。
【請求項７】
枠に囲まれた空間が入力用中空部になっている枠状板と、この枠状板において互いに対向する一方の部分に設けられた発光手段と、上記枠状板の他方の部分に設けられ上記発光手段からの出射光を受光する受光手段とを有する入力デバイスと、この入力デバイスの裏面に着脱自在に係合する下敷き板とからなり、上記下敷き板の表面に、筆記用紙を載置する載置台が形成され、その載置台の周縁部に対応する上記入力デバイスの裏面の部分が、その載置台の周縁部に対応する形状に形成され、それら載置台の周縁部と入力デバイスの裏面の部分とが着脱自在に係合可能になっており、上記載置台の外周側面が上記筆記用紙の外周縁に対応し、上記載置台の周縁部と上記入力デバイスの裏面との間が、上記筆記用紙を挟持する挟持部に形成されていることを特徴とする下敷き板付き入力デバイス。
【請求項８】
枠に囲まれた空間が入力用中空部になっている枠状板と、この枠状板において互いに対向する一方の部分に設けられた発光手段と、上記枠状板の他方の部分に設けられ上記発光手段からの出射光を受光する受光手段とを有する入力デバイスと、この入力デバイスの裏面に固定された下敷き板とからなり、上記入力用中空部の内周縁の一辺が、筆記用紙の外周縁の一辺を位置決めする位置決め基準辺に形成されているとともに、その位置決め基準辺の両端の隅部に、固定片が架設され、それら固定片の裏面と上記下敷き板の表面との間が、上記筆記用紙の隣り合う２個所の角部の挟持部に形成されていることを特徴とする下敷き板付き入力デバイス。
【請求項９】
上記発光手段が、発光素子と、この発光素子に接続された、光導波路の複数の光出射用コアとからなり、上記受光手段が、受光素子と、この受光素子に接続された、光導波路の複数の光入射用コアとからなり、上記光出射用コアの先端部と上記光入射用コアの先端部とが、上記枠状板の内側縁に位置決めされた状態で対向している請求項１〜８のいずれか一項に記載の下敷き板付き入力デバイス。
【請求項１０】
上記発光手段が、複数の発光素子からなり、上記受光手段が、複数の受光素子からなり、上記複数の発光素子と上記複数の受光素子とが、上記枠状板の内側縁に位置決めされた状態で対向している請求項１〜８のいずれか一項に記載の下敷き板付き入力デバイス。
【請求項１１】
上記発光手段と受光手段とが、発光素子と受光素子とを上下に重ねたモジュールからなり、そのモジュールが上記枠状板の一つの辺の両側の角部にそれぞれ配置され、これらモジュールの間の上記一つの辺を除く辺の内側面に、テープ状の再帰性光反射体が配置され、一方のモジュールの発光素子から投射された光が、上記再帰性光反射体に反射されて、この一方のモジュールの受光素子で受光されるようになっている請求項１〜８のいずれか一項に記載の下敷き板付き入力デバイス。
【発明の詳細な説明】
【技術分野】
【０００１】
本発明は、光学的な位置検出手段を備えた下敷き板付き入力デバイスに関するものである。
【背景技術】
【０００２】
従来より、入力デバイスとして、複数の発光素子および受光素子を備えた光学的位置検出装置（例えば、特許文献１参照）が提案されている。このものは、四角枠状に形成され、その四角枠を構成する一対のＬ字状部分の一方に、発光素子を複数並設し、他方に、上記発光素子に対向する受光素子を複数並設したものとなっている。そして、その四角枠状の光学的位置検出装置は、四角形のディスプレイの周縁に沿って設置され、その四角枠内でペンや指等を移動させることにより、文字等の情報を入力し、上記ディスプレイに表示することができるようになっている。すなわち、上記四角枠内でペンや指等を移動させると、上記発光素子からの光がペン先や指先等により遮光され、その遮光を、上記発光素子に対向する受光素子が感知することにより、上記ペン先や指先等の軌跡（文字等の入力情報）を検知するようになっている。そして、その軌跡を信号として上記ディスプレイに出力するようになっている。
【先行技術文献】
【特許文献】
【０００３】
【特許文献１】特許第３６８２１０９号公報
【発明の概要】
【発明が解決しようとする課題】
【０００４】
上記光学的位置検出装置は、四角枠状であるため、その下に紙を設置し、その紙の一部分を枠内から露呈させ、その露呈した紙の部分に直接、ペン等の筆記具で文字等を記入しながら、その文字等を上記ディスプレイに表示することもできる。
【０００５】
しかしながら、記入中に、光学的位置検出装置と紙との相対的な位置がずれると、紙に記入した文字等の位置（アナログデータ）とディスプレイに表示された文字等の位置（デジタルデータ）とが合わなくなる（アナログデータとデジタルデータに差がでる）。また、紙への記入を一時中断し、その紙を光学的位置検出装置から取り出した後、再記入するために、光学的位置検出装置の下に上記紙を再度設置すると、前回の紙位置とずれが生じる。その状態で紙に記入すると、紙上では前回と位置がずれないように記入できるものの、ディスプレイ上では位置がずれて表示される（アナログデータとデジタルデータに差がでる）。
【０００６】
本発明は、このような事情に鑑みなされたもので、設置した筆記用紙への記入中でも再度の筆記用紙設置時でも、上記筆記用紙の位置ずれが生じないようにすることができる下敷き板付き入力デバイスの提供をその目的とする。
【課題を解決するための手段】
【０００７】
上記の目的を達成するため、本発明の第１の要旨の下敷き板付き入力デバイスは、枠に囲まれた空間が入力用中空部になっている枠状板と、この枠状板において互いに対向する一方の部分に設けられた発光手段と、上記枠状板の他方の部分に設けられ上記発光手段からの出射光を受光する受光手段とを有する入力デバイスと、この入力デバイスの一端縁を軸として回動自在に上記入力デバイスの裏面に取り付けられた下敷き板とからなり、上記下敷き板の表面に、筆記用紙の位置決め手段が設けられているとともに、上記下敷き板の表面と上記入力デバイスの裏面との間が、上記筆記用紙を挟持する挟持部に形成されているという構成をとる。
【０００８】
さらに、本発明の第２の要旨の下敷き板付き入力デバイスは、枠に囲まれた空間が入力用中空部になっている枠状板と、この枠状板において互いに対向する一方の部分に設けられた発光手段と、上記枠状板の他方の部分に設けられ上記発光手段からの出射光を受光する受光手段とを有する入力デバイスと、この入力デバイスの裏面に着脱自在に係合する下敷き板とからなり、上記下敷き板の表面に、筆記用紙を載置する載置台が形成され、その載置台の周縁部に対応する上記入力デバイスの裏面の部分が、その載置台の周縁部に対応する形状に形成され、それら載置台の周縁部と入力デバイスの裏面の部分とが着脱自在に係合可能になっており、上記載置台の外周側面が上記筆記用紙の外周縁に対応し、上記載置台の周縁部と上記入力デバイスの裏面との間が、上記筆記用紙を挟持する挟持部に形成されているという構成をとる。
【０００９】
また、本発明の第３の要旨の下敷き板付き入力デバイスは、枠に囲まれた空間が入力用中空部になっている枠状板と、この枠状板において互いに対向する一方の部分に設けられた発光手段と、上記枠状板の他方の部分に設けられ上記発光手段からの出射光を受光する受光手段とを有する入力デバイスと、この入力デバイスの裏面に固定された下敷き板とからなり、上記入力用中空部の内周縁の一辺が、筆記用紙の外周縁の一辺を位置決めする位置決め基準辺に形成されているとともに、その位置決め基準辺の両端の隅部に、固定片が架設され、それら固定片の裏面と上記下敷き板の表面との間が、上記筆記用紙の隣り合う２個所の角部の挟持部に形成されているという構成をとる。
【００１０】
すなわち、本発明の第１の要旨の下敷き板付き入力デバイスを用いて、筆記用紙に記入する際には、まず、入力デバイスと下敷き板とを、その入力デバイスの一端縁を軸として相対的に回動させて開く。ついで、上記下敷き板の表面に、筆記用紙の位置決め手段を利用して、筆記用紙を適正な位置に位置決めして載置する。つぎに、入力デバイスと下敷き板とを相対的に回動させて閉じる。これにより、筆記用紙が、下敷き板の表面と入力デバイスの裏面との間で挟持され固定される。この状態で、筆記用紙に記入する。筆記用紙を取り出す際には、再度、入力デバイスと下敷き板とを相対的に回動させて開き、筆記用紙を取り出す。
【００１１】
また、本発明の第２の要旨の下敷き板付き入力デバイスを用いて、筆記用紙に記入する際には、まず、入力デバイスと下敷き板とが係合されていない状態で、その下敷き板に形成された載置台の外周側面に筆記用紙の外周縁を沿わせるよう、その筆記用紙を上記載置台に載置することにより、上記筆記用紙を適正に位置決めする。ついで、載置台の周縁部と入力デバイスの裏面の部分と係合する。これにより、筆記用紙の周縁部が、載置台の周縁部と上記入力デバイスの裏面との間で挟持され固定される。この状態で、筆記用紙に記入する。筆記用紙を取り出す際には、再度、入力デバイスと下敷き板との係合を解き、筆記用紙を取り出す。
【００１２】
さらに、本発明の第３の要旨の下敷き板付き入力デバイスを用いて、筆記用紙に記入する際には、筆記用紙の隣り合う２個所の角部を、入力用中空部の２個所の隅部に架設した固定片と下敷き板との間にスライドさせるように入れるとともに、筆記用紙の上記２個所の角部の間の一辺を、入力用中空部の上記２個所の固定片の間の一辺（位置決め基準辺）に当接させる。これにより、筆記用紙の上記２個所の角部が、固定片の裏面と上記下敷き板の表面との間に挟持され、筆記用紙が固定されるとともに、筆記用紙の一辺が入力用中空部の位置決め基準辺に当接し、筆記用紙が適正な位置に位置決めされる。この状態で、筆記用紙に記入する。筆記用紙を取り出す際には、筆記用紙の上記２個所の角部を、固定片の裏面と上記下敷き板の表面との間から引き抜いて、筆記用紙を取り出す。
【発明の効果】
【００１３】
本発明の第１の要旨の下敷き板付き入力デバイスは、入力デバイスの裏面に、下敷き板が、入力デバイスの一端縁を軸として回動自在に取り付けられているため、上記入力デバイスと上記下敷き板とを相対的に回動させて開いても、両者の相対的な位置ずれは発生しない。そして、上記下敷き板の表面に、筆記用紙の位置決め手段が設けられているため、筆記用紙を再度設置する場合でも、その位置決め手段を利用して、適正な位置に載置することができ、しかも、上記のように入力デバイスと下敷き板との相対的な位置ずれが発生しないことから、上記筆記用紙と入力デバイスとの相対的な位置ずれも発生しない。さらに、上記下敷き板の表面と上記入力デバイスの裏面との間が、上記筆記用紙を挟持する挟持部に形成されているため、その筆記用紙への記入中でも、筆記用紙の位置ずれが生じない。また、上記入力デバイスには、上記のように下敷き板が取り付けられているため、上記入力デバイスは、枠状であっても、剛性を高めることができ、より精度良く、筆記具の先端部（ペン先等）の移動軌跡を検知することができる。
【００１４】
特に、上記筆記用紙の位置決め手段が、上記筆記用紙に予め形成されている複数の貫通孔に挿入する複数の突起部である場合には、上記筆記用紙に予め形成されている複数の貫通孔に、上記複数の突起部を挿入することにより、上記筆記用紙を適正に位置決めすることができるとともに、上記筆記用紙が位置ずれしないようにすることができる。
【００１５】
また、上記筆記用紙の位置決め手段が、上記筆記用紙の外周縁を示す目印線である場合には、上記筆記用紙の外周縁を上記目印線に沿わせるよう、上記筆記用紙を載置することにより、上記筆記用紙を適正に位置決めすることができる。
【００１６】
さらに、上記筆記用紙の位置決め手段が、上記筆記用紙の外周縁に対応して配置された滑り止め材である場合には、上記筆記用紙の外周縁を上記滑り止め材の配置に対応させるよう、上記筆記用紙を載置することにより、上記筆記用紙を適正に位置決めすることができるとともに、上記筆記用紙が位置ずれし難くなっている。
【００１７】
そして、上記筆記用紙の位置決め手段が、上記筆記用紙の位置決め手段が、上記筆記用紙の外周縁に対応する外周側面を有する、上記筆記用紙を載置する載置台である場合には、上記筆記用紙の外周縁を上記載置台の外周側面に沿わせるよう、上記筆記用紙を上記載置台に載置することにより、上記筆記用紙を適正に位置決めすることができる。しかも、上記載置台の外周側面は、手や指の感触により認識可能であるため、筆記用紙の位置決めが容易になっている。
【００１８】
なかでも、上記載置台が形成されて厚くなっている下敷き板の部分の内部が、上記入力デバイスの駆動用電池を収容する収容部に形成されている場合には、上記載置台の内部を有効利用できるため、本発明の第１の要旨の下敷き板付き入力デバイス全体の厚みを薄くすることができる。
【００１９】
本発明の第２の要旨の下敷き板付き入力デバイスは、下敷き板の表面に、筆記用紙を載置する載置台が形成され、その載置台の周縁部に対応する上記入力デバイスの裏面の部分が、その載置台の周縁部に対応する形状に形成されているため、それら載置台の周縁部と入力デバイスの裏面の部分とを着脱自在に係合することにより、入力デバイスと下敷き板とが、相対的な位置ずれを発生することなく、着脱自在に係合可能となっている。また、上記載置台の外周側面が上記筆記用紙の外周縁に対応しているため、上記筆記用紙の外周縁を上記載置台の外周側面に沿わせるよう、上記筆記用紙を上記載置台に載置することにより、上記筆記用紙を適正に位置決めすることができる。さらに、上記載置台の周縁部と上記入力デバイスの裏面との間が、上記筆記用紙を挟持する挟持部に形成されているため、その筆記用紙への記入中でも、筆記用紙の位置ずれが生じない。
【００２０】
本発明の第３の要旨の下敷き板付き入力デバイスは、入力デバイスの裏面に、下敷き板が固定されているため、上記入力デバイスと上記下敷き板との相対的な位置ずれはない。そして、上記入力デバイスの入力用中空部の内周縁の一辺が、筆記用紙の外周縁の一辺を位置決めする位置決め基準辺に形成されているとともに、その位置決め基準辺の両端の隅部に、固定片が架設され、それら固定片の裏面と上記下敷き板の表面との間が、上記筆記用紙の隣り合う２個所の角部の挟持部に形成されている。そのため、上記筆記用紙の位置決めおよび固定は、筆記用紙の隣り合う２個所の角部を、上記固定片の裏面と上記下敷き板の表面との間で挟持させるとともに、筆記用紙の上記２個所の角部間の一辺を上記入力用中空部の内周縁の位置決め基準辺に当接させることにより、行うことができる。すなわち、筆記用紙への記入中でも再度の筆記用紙設置時でも、筆記用紙の位置ずれが生じない。さらに、上記入力デバイスには、上記のように下敷き板が固定されているため、上記入力デバイスは、枠状であっても、剛性を高めることができ、より精度良く、筆記具の先端部（ペン先等）の移動軌跡を検知することができる。
【００２１】
特に、本発明の第１〜第３の要旨の下敷き板付き入力デバイスにおいて、上記発光手段が、発光素子と、この発光素子に接続された、光導波路の複数の光出射用コアとからなり、上記受光手段が、受光素子と、この受光素子に接続された、光導波路の複数の光入射用コアとからなり、上記光出射用コアの先端部と上記光入射用コアの先端部とが、上記枠状板の内側縁に位置決めされた状態で対向している場合には、上記枠状板上に上記光導波路が形成され、その光導波路は薄く形成することができるため、ペン等の筆記具で入力する際に、上記入力デバイスが、その入力の妨げにならず、入力し易くなっている。
【００２２】
一方、本発明の第１〜第３の要旨の下敷き板付き入力デバイスにおいて、上記発光手段が、複数の発光素子からなり、上記受光手段が、複数の受光素子からなり、上記複数の発光素子と上記複数の受光素子とが、上記枠状板の内側縁に位置決めされた状態で対向している場合には、上記発光素子および上記受光素子がある程度厚みを有するため、上記入力デバイスも全体的にある程度厚く形成され、その入力デバイスを剛性および強度のあるものとすることができる。
【００２３】
また、本発明の第１〜第３の要旨の下敷き板付き入力デバイスにおいて、上記発光手段と受光手段とが、発光素子と受光素子とを上下に重ねたモジュールからなり、そのモジュールが上記枠状板の一つの辺の両側の角部にそれぞれ配置され、これらモジュールの間の上記一つの辺を除く辺の内側面に、テープ状の再帰性光反射体が配置され、一方のモジュールの発光素子から投射された光が、上記再帰性光反射体に反射されて、この一方のモジュールの受光素子で受光されるようになっている場合には、少ない部品点数で、三角測量により、筆記具の先端部（ペン先等）の移動軌跡を検知することができる。
【図面の簡単な説明】
【００２４】
【図１】本発明の第１の要旨に係る下敷き板付き入力デバイスの第１の実施の形態を模式的に示す斜視図である。
【図２】上記下敷き板付き入力デバイスが閉じ、筆記用紙を挟持した状態を模式的に示す断面巣である。
【図３】（ａ）は、上記下敷き板付き入力デバイスにおける入力デバイスの部分を模式的に示す平面図であり、（ｂ）は、（ａ）のＸ１−Ｘ１断面の拡大図であり、（ｃ）は、（ａ）のＸ２−Ｘ２断面の拡大図である。
【図４】（ａ）〜（ｃ）は、入力デバイスの作製方法の一例を模式的に示す説明図である。
【図５】（ａ）〜（ｃ）は、上記図４に示す工程に続く入力デバイスの作製方法を模式的に示す説明図である。
【図６】（ａ）〜（ｂ）は、上記図５に示す工程に続く入力デバイスの作製方法を模式的に示す説明図である。
【図７】（ａ）は、上記図６に示す工程に続く入力デバイスの作製方法を模式的に示す説明図であり、（ｂ）は、（ａ）のＸ４−Ｘ４断面図である。
【図８】上記図７に示す工程に続く入力デバイスの作製方法を模式的に示す説明図である。
【図９】本発明の第１の要旨に係る下敷き板付き入力デバイスの第２の実施の形態を模式的に示す斜視図である。
【図１０】本発明の第１の要旨に係る下敷き板付き入力デバイスの第３の実施の形態を模式的に示す斜視図である。
【図１１】本発明の第１の要旨に係る下敷き板付き入力デバイスの第４の実施の形態を模式的に示し、（ａ）はその斜視図、（ｂ）はそれを閉じた状態の断面図である。
【図１２】本発明の第１の要旨に係る下敷き板付き入力デバイスの第５の実施の形態を模式的に示す、閉じた状態の断面図である。
【図１３】本発明の第１の要旨に係る下敷き板付き入力デバイスの第６の実施の形態を模式的に示す、閉じた状態の断面図である。
【図１４】本発明の第１の要旨に係る下敷き板付き入力デバイスの第７の実施の形態を模式的に示す、閉じた状態の断面図である。
【図１５】本発明の第１の要旨に係る下敷き板付き入力デバイスの第８の実施の形態を模式的に示す、閉じた状態の断面図である。
【図１６】本発明の第２の要旨に係る下敷き板付き入力デバイスの実施の形態（第９の実施の形態）を模式的に示し、（ａ）はその斜視図、（ｂ）はそれを係合した状態の断面図である。
【図１７】本発明の第３の要旨に係る下敷き板付き入力デバイスの実施の形態（第１０の実施の形態）を模式的に示す斜視図である。
【図１８】本発明の下敷き板付き入力デバイスの入力デバイスの部分の他の形態を模式的に示す平面図である。
【図１９】本発明の下敷き板付き入力デバイスの入力デバイスの部分のさらに他の形態を模式的に示す平面図である。
【発明を実施するための形態】
【００２５】
つぎに、本発明の実施の形態を図面にもとづいて詳しく説明する。
【００２６】
図１は、本発明の第１の要旨に係る下敷き板付き入力デバイスの第１の実施の形態を示す斜視図であり、図２は、その下敷き板付き入力デバイスが閉じ、筆記用紙７０を挟持した状態を示す断面図である。この実施の形態の下敷き板付き入力デバイスは、四角形状の入力用中空部（窓部）Ｓを有する四角枠状の入力デバイスＡの裏面に、この入力デバイスＡの一端縁を軸として回動自在となるよう、下敷き板５１を一体的に取り付けたものである。この下敷き板５１は、入力デバイスＡの裏面から、入力用中空部Ｓの全体を覆うことができるよう、入力用中空部Ｓの領域よりも大きく形成されており、この実施の形態では、入力デバイスＡの外周縁と同じ形状に形成されている。また、下敷き板５１の表面には、その表面に載置する筆記用紙７０を位置決めするための手段が設けられており、この実施の形態では、その位置決め手段として、対向する一対の端縁部に、筆記用紙７０に予め形成されている複数の貫通孔７１に挿入する複数の突起部５１ａが列をなして形成されている。さらに、この実施の形態では、入力デバイスＡの裏面に、上記突起部５１ａが挿入する挿入穴３１が形成されている。そして、筆記用紙７０の周縁部分を、入力デバイスＡの入力用中空部Ｓの周縁部分の裏面と下敷き板５１の表面との間で挟持するようになっている。このように、上記入力デバイスＡの裏面に、上記下敷き板５１を取り付けたことが、本発明の大きな特徴である。
【００２７】
そして、下敷き板付き入力デバイスに筆記用紙７０を設置する際は、この実施の形態では、その筆記用紙７０として、その一端縁部に、その筆記用紙７０を綴じる際に利用する上記複数の貫通孔７１が市販状態で形成されているものを準備する。そして、入力デバイスＡと下敷き板５１とを、その入力デバイスＡの一端縁を軸として相対的に回動させて開く。ついで、上記筆記用紙７０の複数の貫通孔７１に、下敷き板５１の複数の突起部５１ａを挿入し、筆記用紙７０を下敷き板５１の表面に載置する。これより、筆記用紙７０を適正に位置決めすることができるとともに、筆記用紙７０が位置ずれしないようにすることができる。つぎに、入力デバイスＡと下敷き板５１とを相対的に回動させて閉じる。これにより、筆記用紙７０の貫通孔７１の周辺部分が、下敷き板５１の表面の突起部５１ａの周辺部分と入力デバイスＡの裏面の挿入穴３１の周辺部分との間で挟持されるとともに、上記貫通孔７１が形成されている部分以外の筆記用紙７０の周縁部も、下敷き板５１の表面と入力デバイスＡの入力用中空部Ｓの周縁部分の裏面との間で挟持され、筆記用紙７０が固定される。そのため、この状態で、入力デバイスＡの入力用中空部Ｓから露呈する筆記用紙７０にペンＰで記入しても、その筆記用紙７０は位置ずれしない。筆記用紙７０を取り出す際には、再度、入力デバイスと下敷き板５１とを相対的に回動させて開き、筆記用紙７０を取り出す。そして、再度、筆記用紙７０を設置する際は、上記と同様にして設置されるため、前回と同じ位置に載置することができ、位置ずれが生じない。
【００２８】
しかも、上記下敷き板５１は、入力デバイスＡの一端縁を軸として回動自在に取り付けられているため、入力デバイスＡと下敷き板５１とを相対的に回動させて開いても、両者の相対的な位置ずれは発生しない。そのため、上記のようにして下敷き板５１の表面に位置決め載置された筆記用紙７０と入力デバイスＡとの相対的な位置ずれも発生しない。
【００２９】
また、この実施の形態では、上記複数の突起部５１ａが、対向する両端縁部に形成されているため、筆記用紙７０の表面に記入するときは、一方の端縁部の突起部５１ａを利用して位置決めし、筆記用紙７０の裏面に記入するときは、他方の端縁部の突起部５１ａを利用して位置決めすることができ、筆記用紙７０の両面に記入することができる。
【００３０】
なお、上記下敷き板５１を回動自在とする構造は、例えば、入力デバイスＡの一端縁と下敷き板５１の一端縁とに、軸体（図示せず）を挿入する挿入孔（図示せず）を形成し、これら挿入孔にその軸体を挿入した構造にすることがあげられる。このような構造により、入力デバイスＡと下敷き板５１とが、その一端縁を軸として相対的に回動自在になっている。なお、上記回動の軸は、入力デバイスＡのいずれの一端縁でもよい。
【００３１】
また、下敷き板５１の突起部５１ａの高さは、１枚の筆記用紙７０が挿入される程度に形成され、例えば、０．５〜５．０ｍｍ程度に設定される。この突起部５１ａが挿入される、上記入力デバイスＡの挿入穴３１の深さは、上記突起部５１ａの全体が挿入される深さに設定する。
【００３２】
ここで、上記入力デバイスＡについて詳しく説明する。その入力デバイスＡは、その平面図を図３（ａ）に、そのＸ１−Ｘ１断面の拡大図を図３（ｂ）に、図３（ａ）のＸ２−Ｘ２断面の拡大図を図３（ｃ）に示すように、四角形状の入力用中空部Ｓを有する四角枠状の光導波路Ｗと、この光導波路Ｗの一辺の外側に設けられた制御手段Ｃとを備えており、これらは、上記入力用中空部Ｓを有する四角枠状の保持板（枠状板）３０の表面に設けられているとともに、上記入力用中空部Ｓを有する四角枠状の保護板４０で覆われている。上記制御手段Ｃは、上記光導波路Ｗの複数の光出射用のコア２ａの端部に接続される発光素子５と、上記光導波路Ｗの複数の光入射用のコア２ｂの端部に接続される受光素子６とを備えている。
【００３３】
上記四角枠状の光導波路Ｗは、図３（ａ），（ｂ）に示すように、その四角枠形状の各辺の帯状の光導波路部分を個別に作製し、それを四角枠状に接続したものとなっている。この実施の形態では、上記帯状の各光導波路部分の両端縁が段部に形成されており、その段部を利用して位置決めした状態で、隣接し合う光導波路部分と光導波路部分とが接続されている。また、上記帯状の各光導波路部分は、アンダークラッド層１と、このアンダークラッド層１の表面に所定パターンに形成されたコア２ａ，２ｂと、このコア２ａ，２ｂを被覆した状態で、上記アンダークラッド層１の表面に形成されたオーバークラッド層３とからなっている。なお、上記アンダークラッド層１は、上記四角枠状の保持板３０の表面に貼着されている。
【００３４】
そして、四角枠状に形成された上記光導波路Ｗは、そのアンダークラッド層１の四角枠を構成する一対のＬ字状部分の一方の表面に、光出射用のコア２ａが複数に分岐された状態で形成され、他方の表面に、光入射用の複数のコア２ｂが並列状態で形成されている。各コア２ａ，２ｂの先端部は、上記一対のＬ字状部分の内側縁（四角枠の内周縁）に位置決めされ、光出射用のコア２ａの先端部と光入射用のコア２ｂの先端部とが対向した状態に形成されている。さらに、上記光出射用のコア２ａおよび光入射用のコア２ｂを被覆した状態で、上記アンダークラッド層１の表面に、オーバークラッド層３が四角枠状に形成されている。この実施の形態では、上記四角枠の内周縁に位置決めされているコア２ａ，２ｂの先端部が、平面視形状が略１／２円弧状の曲面を有する凸状のレンズ部に形成され、そのレンズ部を被覆するオーバークラッド層３の先端部が、側断面形状が略１／４円弧状の曲面を有する凸状のレンズ部３ａに形成されている。なお、図３（ａ）では、コア２ａ，２ｂを鎖線で示しており、鎖線の太さがコア２ａ，２ｂの太さを示している。また、図３（ａ），（ｂ）では、コア２ａ，２ｂの数を略して図示している。
【００３５】
また、上記制御手段Ｃは、図３（ａ），（ｃ）に示すように、先に述べた発光素子５および受光素子６に加え、上記入力デバイスＡを制御するＣＰＵ（中央処理装置）（図示せず），上記光導波路Ｗの入力用中空部Ｓ内の領域に入力した情報（ペン先等の移動軌跡の情報）を出力する出力モジュール（図示せず），その情報を記憶する記憶手段（図示せず），電源となる電池（図示せず）等も備えている。そして、上記発光素子５，上記受光素子６，上記ＣＰＵ，上記出力モジュール，上記記憶手段，上記電池等は、回路基板８に搭載され、電気的に適正に接続されている。
【００３６】
このような入力デバイスＡでは、上記発光素子５からの光Ｈは、上記光出射用のコア２ａを通り、その先端のレンズ部を経て、それを被覆するオーバークラッド層３のレンズ部３ａの表面から出射される。これにより、その光Ｈは、上記四角枠状の光導波路Ｗの入力用中空部Ｓ内の領域において、格子状に走った状態となる。その格子状に走る光Ｈは、上記光出射用のコア２ａの先端のレンズ部およびそれを被覆するオーバークラッド層３のレンズ部３ａの屈折作用により、発散が抑制されている。そして、上記光Ｈは、受光側のオーバークラッド層３のレンズ部３ａを透過し、光入射用のコア２ｂの先端のレンズ部を経て、上記光入射用のコア２ｂを通り、上記受光素子６に到達する。上記光入射用のコア２ｂに入射した光は、上記オーバークラッド層３のレンズ部３ａおよび上記光入射用のコア２ｂの先端のレンズ部の屈折作用により、絞られて収束されている。
【００３７】
そして、前記下敷き板付き入力デバイスに、前記のようにして筆記用紙７０（図２参照）を位置決め固定し、その筆記用紙７０に情報を記入する際には、上記のように光Ｈが格子状に走る上記入力用中空部Ｓから露呈する上記筆記用紙７０の部分に、ペンＰで、文字，図，印等を記入する。これにより、上記格子状に走る光Ｈは、上記ペンＰのペン先により遮光され、その遮光が上記受光素子６により感知されることにより、上記ペン先の軌跡が検知される。そのペン先の軌跡が文字，図，印等の入力情報となる。なお、上記格子状に走る光Ｈの高さは、ペン先を検知する観点から、筆記用紙７０の表面から０．２〜１．０ｍｍの範囲内であることが好ましい。
【００３８】
また、上記下敷き板付き入力デバイスは、例えば、パーソナルコンピュータ（以下「パソコン」という）とともに使用される。すなわち、上記パソコンのディスプレイに資料等の情報を表示し、その表示された情報に、文字，図，印等の情報を加える場合、上記のように、上記入力デバイスＡの入力用中空部Ｓ内の領域で、上記文字等の情報をペンＰで入力する。これにより、そのペン先の軌跡が、上記入力デバイスＡにより、検知されるとともに、信号として上記パソコンに無線または接続ケーブルで伝達され、上記ディスプレイに表示することができる。これにより、上記ディスプレイには、上記資料等の情報に、上記入力デバイスＡで入力した文字等の情報が重ね合わさった状態で表示される。
【００３９】
ここで使用される上記パソコンには、上記入力デバイスＡの入力用中空部Ｓで入力した文字等を、その入力した位置に対応するディスプレイの位置に表示させるために、入力デバイスＡの入力用中空部Ｓ内の領域の座標を、ディスプレイの画面の座標に変換し、入力デバイスＡで入力した文字等をディスプレイに表示するソフトウェア（プログラム）が組み込まれている。
【００４０】
なお、上記資料等の情報は、通常、上記パソコン内のハードディスクや外部のＵＳＢメモリ等の情報記憶媒体に予め記憶させておき、その情報記憶媒体から出力される。そして、上記ディスプレイに表示された、上記資料等の情報と上記入力デバイスＡで入力した文字等の情報とが重ね合わさった情報は、上記情報記憶媒体に記憶することができる。
【００４１】
また、この第１の実施の形態では、筆記用紙７０の位置決めに利用する複数の突起部５１ａを、図１に示すように回動軸に直角な両端縁部に形成したが、回動軸に平行な両端縁部に形成してもよい。また、上記複数の突起部５１ａは、下敷き板５１の表面の一端縁部のみに形成してもよい。
【００４２】
〔下敷き板５１の作製〕
つぎに、上記下敷き板５１の作製方法の一例について説明する。この下敷き板５１の形成材料としては、例えば、金属，樹脂，木，ガラス等があげられる。そして、その形成材料に応じた製法により、上記下敷き板５１が作製される。例えば、形成材料として金属を用いる場合は、金属板のプレス加工等により作製され、樹脂を用いる場合は、射出成形等により作製される。
【００４３】
〔入力デバイスＡの作製〕
つぎに、上記入力デバイスＡの作製方法の一例について説明する。この実施の形態では、四角枠状の光導波路Ｗの作製は、その四角枠形状の各辺の帯状の光導波路部分を個別に作製し、それを四角枠状に接続することにより行われる。なお、光導波路Ｗの作製方法の説明に引用する図４（ａ）〜（ｃ），図５（ａ）〜（ｃ）は、図３（ａ）のＸ１−Ｘ１断面に相当する部分を図示している。
【００４４】
まず、帯状の光導波路部分を形成するための基板１０〔図４（ａ）参照〕を準備する。この基板１０の形成材料としては、例えば、金属，樹脂，ガラス，石英，シリコン等があげられる。
【００４５】
ついで、図４（ａ）に示すように、上記基板１０の表面に、帯状のアンダークラッド層１を形成する。このアンダークラッド層１は、感光性樹脂を形成材料として、フォトリソグラフィ法により形成することができる。アンダークラッド層１の厚みは、例えば、５〜５０μｍの範囲内に設定される。
【００４６】
つぎに、図４（ｂ）に示すように、上記アンダークラッド層１の表面に、フォトリソグラフィ法により前記パターンの光出射用のコア２ａおよび光入射用のコア２ｂを形成する。これらコア２ａ，２ｂの形成材料としては、上記アンダークラッド層１および下記オーバークラッド層３〔図５（ｂ）参照〕の形成材料よりも屈折率が高い感光性樹脂が用いられる。
【００４７】
ここで、図４（ｃ）に示すように、オーバークラッド層形成用の、透光性を有する成形型２０を準備する。この成形型２０には、オーバークラッド層３〔図５（ｂ）参照〕の表面形状に対応する型面を有する凹部２１が形成されている。そして、その凹部２１を上にして、成形型２０を成形ステージ（図示せず）の上に設置し、その凹部２１に、オーバークラッド層３の形成材料である感光性樹脂３Ａを充填する。
【００４８】
ついで、図５（ａ）に示すように、上記アンダークラッド層１の表面にパターン形成したコア２ａ，２ｂを、上記成形型２０の凹部２１に対して位置決めし、その状態で、上記アンダークラッド層１を上記成形型２０に押圧し、上記オーバークラッド層３の形成材料である感光性樹脂３Ａ内に、上記コア２ａ，２ｂを浸す。そして、この状態で、紫外線等の照射線を、上記成形型２０を透して上記感光性樹脂３Ａに照射し、その感光性樹脂３Ａを露光する。これにより、上記感光性樹脂３Ａが硬化し、コア２ａ，２ｂの先端部に対応するオーバークラッド層３の部分がレンズ部３ａに形成されたオーバークラッド層３が形成される。
【００４９】
つぎに、図５（ｂ）〔図５（ａ）とは上下を逆に図示している〕に示すように、上記成形型２０〔図５（ａ）参照〕から、上記オーバークラッド層３を、上記基板１０，アンダークラッド層１およびコア２ａ，２ｂと共に脱型する。
【００５０】
そして、図５（ｃ）に示すように、上記基板１０〔図４（ｂ）参照〕をアンダークラッド層１から剥離し、アンダークラッド層１，コア２ａ，２ｂおよびオーバークラッド層３からなる帯状の光導波路部分を得る。
【００５１】
つぎに、図６（ａ）に平面図で示すように、回路基板８を準備し、それに、発光素子５，受光素子６，上記入力デバイスＡ（図１参照）を制御するＣＰＵ（図示せず），上記光導波路Ｗ（図１参照）の入力用中空部Ｓ内の領域に入力した情報を出力する出力モジュール（図示せず），上記記憶手段（図示せず），電池（図示せず）等を搭載し、前記制御手段Ｃを作製する。
【００５２】
ここで、図６（ｂ）に平面図で示すように、入力用中空部Ｓを有する四角枠状の保持板３０を準備する。この保持板３０の形成材料としては、例えば、金属，樹脂，ガラス，石英，シリコン等があげられる。なかでも、平面性の保持に優れている点で、ステンレスが好ましい。そして、保持板３０の裏面に、前記挿入穴３１（図１参照）を、切削加工，エッチング等により、形成する。
【００５３】
そして、図７（ａ）に平面図で示し，図７（ｂ）に断面図〔図７（ａ）のＸ４−Ｘ４断面図〕で示すように、上記四角枠状の保持板３０の表面に、上記帯状の光導波路部分を貼着し、四角枠状の光導波路Ｗを作製する。このとき、上記発光素子５を光出射用のコア２ａに接続し、上記受光素子６を光入射用のコア２ｂに接続する。
【００５４】
その後、図８に断面図で示すように、上記オーバークラッド層３のレンズ部３ａを除く頂面および外周側面と、上記制御手段Ｃの全体とを、保護板４０で覆う。この保護板４０の形成材料としては、例えば、樹脂，金属，ガラス，石英，シリコン等があげられる。保護板４０の厚みは、例えば、金属製であれば、０．５ｍｍ程度、樹脂製であれば、０．８ｍｍ程度に設定される。このようにして、上記入力デバイスＡを作製することができる。
【００５５】
〔下敷き板付き入力デバイスの作製〕
最後に、前記下敷き板５１の一端縁と上記入力デバイスＡの一端縁とに、軸体（図示せず）を挿入する挿入孔（図示せず）を形成し、これら挿入孔にその軸体を挿入する。これにより、上記入力デバイスＡと上記下敷き板５１とを、その一端縁を軸として相対的に回動自在に組み立てる。このようにして、前記下敷き板付き入力デバイスを作製することができる。
【００５６】
図９は、本発明の第１の要旨に係る下敷き板付き入力デバイスの第２の実施の形態を示す斜視図である。この実施の形態の下敷き板付き入力デバイスは、下敷き板５２の表面における筆記用紙７０（図１参照）の位置決め手段として、上記第１の実施の形態における突起部５１ａ（図１参照）に代えて、下敷き板５２の表面に、筆記用紙７０の外周縁を示す目印線５２ａが印されている。そのため、入力デバイスＡの裏面に上記突起部５１ａが挿入する挿入穴３１（図１参照）は形成されていない。また、上記目印線５２ａで囲まれる領域（筆記用紙７０の領域）は、入力デバイスＡの入力用中空部Ｓの領域よりも大きく、その入力用中空部Ｓの領域外に位置する筆記用紙７０の周縁部分を、下敷き板５２の表面と入力デバイスＡの入力用中空部Ｓの周縁部分の裏面との間で挟持するようになっている。それ以外の部分は、上記第１の実施の形態と同様であり、同様の部分には同じ符号を付している。
【００５７】
この実施の形態の下敷き板付き入力デバイスに筆記用紙７０を設置する際は、入力デバイスＡと下敷き板５２とを相対的に回動させて開いた後、筆記用紙７０の外周縁を上記目印線５２ａに沿わせるよう、上記筆記用紙７０を載置する。これより、上記筆記用紙７０を適正に位置決めすることができる。つぎに、入力デバイスＡと下敷き板５２とを相対的に回動させて閉じることにより、入力用中空部Ｓの領域外に位置する筆記用紙７０の部分が、下敷き板５２の表面と入力デバイスＡの裏面との間で挟持され、上記筆記用紙７０が固定される。そのため、この状態で、筆記用紙７０に記入しても、その筆記用紙７０は位置ずれしない。そして、上記下敷き板付き入力デバイスから筆記用紙７０を取り出し、再度、筆記用紙７０を設置しても、前回と同じ位置に載置することができ、位置ずれが生じない。
【００５８】
なお、この第２の実施の形態における上記目印線５２ａは、塗料で描いてもよいし、印刷してもよいし、溝で形成してもよい。また、図９では、上記目印線５２ａを四角形に図示したが、その四角形の４個の角部だけを印してもよい。
【００５９】
また、この第２の実施の形態において使用される上記筆記用紙７０は、上記第１の実施の形態と同様の、綴じるために利用する複数の貫通孔７１が形成された筆記用紙７０でもよいし、その貫通孔７１が形成されていない通常の筆記用紙７０でもよい。
【００６０】
図１０は、本発明の第１の要旨に係る下敷き板付き入力デバイスの第３の実施の形態を示す斜視図である。この実施の形態の下敷き板付き入力デバイスは、下敷き板の表面における筆記用紙７０（図１参照）の位置決め手段として、上記第２の実施の形態における下敷き板の目印線５２ａ（図９参照）に代えて、下敷き板の表面に、筆記用紙７０の外周縁に対応して四角枠状に滑り止め材５３ａが配置されている。この四角枠状の滑り止め材５３ａの外縁で囲まれる領域（筆記用紙７０の領域）は、上記第２の実施の形態と同様、入力デバイスＡの入力用中空部Ｓの領域よりも大きく、その入力用中空部Ｓの領域外に位置する筆記用紙７０の周縁部分を、下敷き板の表面と入力デバイスＡの入力用中空部Ｓの周縁部分の裏面との間で挟持するようになっている。そのため、上記滑り止め材５３ａにより、筆記用紙７０がより位置ずれし難くなっている。それ以外の部分は、上記第２の実施の形態と同様であり、同様の部分には同じ符号を付している。
【００６１】
なお、この第３の実施の形態では、上記滑り止め材５３ａを四角枠状に配置したが、筆記用紙７０と同形状の四角形に配置してもよい。
【００６２】
図１１（ａ）は、本発明の第１の要旨に係る下敷き板付き入力デバイスの第４の実施の形態を示す斜視図であり、図１１（ｂ）は、その下敷き板付き入力デバイスが閉じ、筆記用紙７０を挟持した状態の断面図である。この実施の形態の下敷き板付き入力デバイスは、下敷き板５３の表面における筆記用紙７０の位置決め手段として、上記第２の実施の形態における目印線５２ａ（図９参照）に代えて、その目印線５２ａで囲まれる領域（筆記用紙７０の載置部分）が盛り上がった状態に形成されている。すなわち、下敷き板５３の表面のその盛り上がった部分は、筆記用紙７０を載置する載置台５４ａであり、その外周側面５４ｂは、傾斜面に形成され、その外周側面５４ｂの上端縁は、筆記用紙７０の外周縁に対応したものとなっている。このように、載置台５４ａが盛り上がっているため、手や指の感触で載置台５４ａの外周側面５４ｂを認識することができ、筆記用紙７０の位置決めが容易になっている。また、入力デバイスＡは、下敷き板付き入力デバイスが閉じた状態で、上記載置台５４ａの周りを囲むよう、底の保持板３０が段部を有するように形成されている。それ以外の部分は、上記第２の実施の形態と同様であり、同様の部分には同じ符号を付している。
【００６３】
さらに、この第４の実施の形態では、図１１（ｂ）に示すように、入力デバイスＡの段部を利用して、その入力デバイスＡを構成する発光素子５，受光素子６等を、上記段部の下段部分にずらした状態で配置することができる。これにより、載置台５４ａを形成しても、閉じた状態の下敷き板付き入力デバイスの厚みを、それ程厚くならないようにすることができる。
【００６４】
図１２は、本発明の第１の要旨に係る下敷き板付き入力デバイスの第５の実施の形態を示し、その下敷き板付き入力デバイスが閉じ、筆記用紙７０を挟持した状態の断面図である。この実施の形態の下敷き板付き入力デバイスは、上記第４の実施の形態〔図１１（ａ），（ｂ）参照〕において、下敷き板５８に形成された載置台５８ａの外周側面５８ｂが、上記下敷き板５８に対し直角に起立した状態になっている。そして、その載置台５８ａの外周部形状に対応するよう、入力デバイスＡの底の保持板３０に、段部３０ａが形成されている。そのため、上記筆記用紙７０を位置決めした状態で固定し易くなっている。それ以外の部分は、上記第４の実施の形態と同様であり、同様の部分には同じ符号を付している。
【００６５】
図１３は、本発明の第１の要旨に係る下敷き板付き入力デバイスの第６の実施の形態を示し、その下敷き板付き入力デバイスが閉じ、筆記用紙７０を挟持した状態の断面図である。この実施の形態の下敷き板付き入力デバイスは、上記第４の実施の形態〔図１１（ａ），（ｂ）参照〕と同様に、下敷き板５９に載置台５９ａが形成されている。そして、その載置台５９ａの傾斜した外周部形状に対応するよう、入力デバイスＡの底の保持板３０に、傾斜部３０ｂが形成されている。また、この実施の形態では、上記載置台５９ａの外周側面５９ｂの下端縁が、筆記用紙７０の外周縁に対応したものとなっている。そのため、下敷き板付き入力デバイスが閉じた状態（筆記用紙７０を挟持した状態）では、筆記用紙７０の外周部が、入力デバイスＡの底の保持板３０の傾斜部３０ｂとの当接により、外側に引っ張られた状態となり、載置台５９ａ上の筆記用紙７０の部分を、皺や弛みがない平面状態とすることができる。これにより、入力用中空部Ｓ内を格子状に走る光Ｈ（図３参照）が上記筆記用紙７０の皺や弛みの部分で遮光されるというエラーを、防止することができる。
【００６６】
図１４は、本発明の第１の要旨に係る下敷き板付き入力デバイスの第７の実施の形態を示し、その下敷き板付き入力デバイスが閉じ、筆記用紙７０を挟持した状態の断面図である。この実施の形態の下敷き板付き入力デバイスは、上記第４の実施の形態〔図１１（ａ），（ｂ）参照〕と同様に、下敷き板５５に載置台５５ａが形成されており、その載置台５５ａにより厚くなっている部分の内部が、入力デバイスＡの駆動用電池Ｅを収容する収容部５５ｂに形成されている。これにより、入力デバイスＡを構成する、厚みのある上記駆動用電池Ｅの配置場所として、上記載置台５５ａの内部を有効利用できるため、閉じた状態の下敷き板付き入力デバイスの厚みを薄くすることができる。それ以外の部分は、上記第４の実施の形態と同様であり、同様の部分には同じ符号を付している。
【００６７】
図１５は、本発明の第１の要旨に係る下敷き板付き入力デバイスの第８の実施の形態を示し、その下敷き板付き入力デバイスが閉じ、筆記用紙７０を挟持した状態の断面図である。この実施の形態の下敷き板付き入力デバイスは、下敷き板５６の全体が、筆記用紙７０を載置する載置台５６ａに形成され、電池Ｅの収容部５６ｂが、下敷き板５６の内部に全体的に形成されている。そのため、下敷き板付き入力デバイスを閉じた状態では、下敷き板５６を全体的に入力デバイスＡの外枠内に収容することができる。そして、上記第７の実施の形態（図１４参照）と同様、薄形化することができる。それ以外の部分は、上記第７の実施の形態と同様であり、同様の部分には同じ符号を付している。
【００６８】
図１６（ａ）は、本発明の第２の要旨に係る下敷き板付き入力デバイスの実施の形態（第９の実施の形態）を示す斜視図であり、図１６（ｂ）は、その断面図である。この実施の形態の下敷き板付き入力デバイスは、上記第５の実施の形態（図１２参照）において、入力デバイスＡと下敷き板５８とが、それらの一端縁を軸として回動自在に一体的になっているのではなく、着脱自在に係合するものとなっている。すなわち、上記下敷き板５８に形成された載置台５８ａの周縁部と、上記入力デバイスＡの底の保持板３０に形成された段部３０ａとの、着脱自在な係合により、上記入力デバイスＡと下敷き板５８との着脱自在な係合が可能になっている。そして、上記係合により、入力デバイスＡと下敷き板５８との相対的な位置ずれは発生せず、上記第５の実施の形態と同様にして、筆記用紙７０（図１２参照）を位置決めした状態で固定することができる。それ以外の部分は、上記第５の実施の形態と同様であり、同様の部分には同じ符号を付している。
【００６９】
この実施の形態の変形例として、上記第６の実施の形態（図１３参照）と同様の入力デバイスＡと下敷き板５９を用いてもよい。すなわち、下敷き板に５９に形成した載置台５９ａの外周側面５９ｂを傾斜させ、それに対応して、入力デバイスＡの底の保持板３０に傾斜部３０ｂを形成してもよい。そして、上記第６の実施の形態と同様にして、筆記用紙７０を固定することができる。
【００７０】
さらに、この実施の形態の他の変形例として、上記第７および第８の実施の形態（図１４，図１５参照）と同様の入力デバイスＡと下敷き板５５，５６を用いてもよい。すなわち、下敷き板５５，５６に形成した載置台５５ａ，５６ａの内部を駆動用電池Ｅを収容する収容部５５ｂ，５６ｂに形成してもよい。
【００７１】
なお、以上の各実施の形態において、入力デバイスＡのうち、筆記用紙７０と接触する部分に、その筆記用紙７０に対して滑り難いゴム素材を用いてもよい。
【００７２】
図１７は、本発明の第３の要旨に係る下敷き板付き入力デバイスの実施の形態（第１０の実施の形態）を示す斜視図である。この実施の形態の下敷き板付き入力デバイスは、四角形状の入力用中空部Ｓを有する四角枠状の入力デバイスＡの裏面に、下敷き板５７が積層状態で固定されている。そして、入力デバイスＡの入力用中空部Ｓの内周縁の一辺が、筆記用紙７０（図１参照）の外周縁の一辺を位置決めする位置決め基準辺６１になっている。さらに、その位置決め基準辺６１の両端の隅部に、樹脂や金属等からなる固定片６２が、接着剤による接着等により架設されている。そして、それら固定片６２の裏面と上記下敷き板５７の表面との間で、上記筆記用紙７０の隣り合う２個所の角部を挟持するようになっている。また、下敷き板５７は、表面が平面状になっている。それ以外の部分は、上記第１の実施の形態と同様であり、同様の部分には同じ符号を付している。
【００７３】
この実施の形態の下敷き板付き入力デバイスに筆記用紙７０を設置する際は、筆記用紙７０の隣り合う２個所の角部を、入力用中空部Ｓの２個所の固定片６２と下敷き板５７との間にスライドさせるように入れるとともに、筆記用紙７０の上記２個所の角部の間の一辺を、入力用中空部Ｓの上記２個所の固定片６２の間の一辺（位置決め基準辺６１）に当接させる。これにより、筆記用紙７０の上記２個所の角部が、固定片６２の裏面と上記下敷き板５７の表面との間に挟持され、筆記用紙７０が固定されるとともに、筆記用紙７０の一辺が入力用中空部Ｓの位置決め基準辺６１に当接し、筆記用紙７０が適正な位置に位置決めされる。この状態で、筆記用紙７０に記入しても、その筆記用紙７０は位置ずれしない。筆記用紙７０を取り出す際には、筆記用紙７０の上記２個所の角部を、固定片６２の裏面と上記下敷き板５７の表面との間から引き抜いて、筆記用紙７０を取り出す。そして、再度、筆記用紙７０を設置する際は、上記と同様にして設置されるため、前回と同じ位置に載置することができ、位置ずれが生じない。
【００７４】
なお、以上の各実施の形態では、入力デバイスＡの四角枠状の光導波路Ｗにおいて、入力用中空部Ｓ内での光伝送効率を向上させるために、光出射用のコア２ａの先端部および光入射用のコア２ｂの先端部をレンズ部に形成するとともに、それを被覆するオーバークラッド層３の先端部もレンズ部３ａに形成したが、入力用中空部Ｓ内での光伝送効率が充分であれば、上記レンズ部は、コア２ａ，２ｂまたはオーバークラッド層３の一方のみに形成してもよいし、両方とも形成しなくてもよい。また、上記レンズ部を形成しない場合、別体のレンズ体を準備し、上記光導波路Ｗの入力用中空部Ｓ内の周縁に沿って設置してもよい。
【００７５】
図１８は、以上の各実施の形態における入力デバイスの部分の他の実施の形態を示している。この実施の形態の入力デバイスＢは、四角形状の入力用中空部Ｓを有する四角枠状の保持板の、上記入力用中空部Ｓの対向する一方の周縁に、複数の発光ダイオード（発光手段）１１が並設され、他方の周縁に、複数のフォトダイオード（受光手段）１２が並設され、上記発光ダイオード１１の発光部と、上記フォトダイオード１２の受光部とが対向している。この入力デバイスＢには、光導波路Ｗ（図３参照）は設けられていない。なお、上記発光ダイオード１１およびフォトダイオード１２は、上記保持板の表面に設けられた四角枠状の回路基板８に搭載されている。また、前記第１の実施の形態と同様に、上記回路基板８には、入力デバイスＢを制御するＣＰＵ，上記入力用中空部Ｓ内の領域に入力した情報を出力する出力モジュール，記憶手段，電池等が搭載され、さらに、保護板４０も設けられている。なお、図１８では、発光ダイオード１１，フォトダイオード１２の数を略して図示している。
【００７６】
この実施の形態でも、上記複数の発光ダイオード１１により、上記入力用中空部Ｓ内の領域において、光Ｈが格子状に走った状態となる。そして、その入力用中空部Ｓ内の領域でペンＰ（図２参照）を移動させると、上記格子状に走る光Ｈが、上記ペンＰのペン先により遮光され、その遮光が上記フォトダイオード１２により感知されることにより、上記ペン先の軌跡が検知される。すわなち、この実施の形態の入力デバイスＢを、上記第１〜第１０の実施の形態の入力デバイスＡに代えて使用することができる。
【００７７】
図１９は、上記第１〜第１０の各実施の形態における入力デバイスの部分のさらに他の実施の形態を示している。この実施の形態の入力デバイスＢ２は、四角形状の入力用中空部Ｓを有する四角枠状の保持板の、上記入力用中空部Ｓの一つの辺の両側の角部に、発光ダイオード（発光手段）とＣＭＯＳイメージセンサ（受光素子）とを上下（上記保持板と直交する方向）に重ねた測定モジュール１３がそれぞれ配置され、残りの３辺の内側面に、再帰性光反射テープ１４が貼着されている。上記発光ダイオードは、約９０°の広がり角度で光Ｈが投射されるものであり、上記入力用中空部Ｓ全体に光Ｈを行きわたらせるものとなっている。また、上記再帰性光反射テープ１４は、入射した光を同じ方向に反射する機能をもっているものである。なお、上記２個の測定モジュール１３は、上記保持板の表面の一部に設けられた回路基板に搭載されている。
【００７８】
この実施の形態では、上記各測定モジュール１３の発光ダイオードから投射された光が上記再帰性光反射テープ１４で反射され、投射元の測定モジュール１３のＣＭＯＳイメージセンサで受光されるようになっている。このため、上記入力用中空部Ｓにおいて、上記２個の測定モジュール１３を中心とした扇状に光Ｈが走った状態となる。そして、その入力用中空部Ｓ内の領域でペンＰを移動させると、上記扇状に走る光Ｈが、上記ペンＰのペン先により遮光され、その遮光が上記２個の測定モジュール１３のＣＭＯＳイメージセンサにより感知される。その遮光位置（上記ペン先の位置）は、三角測量を利用して特定される。すわなち、この実施の形態の入力デバイスＢ２を、上記第１〜第１０の実施の形態の入力デバイスＡに代えて使用することができる。
【００７９】
なお、上記各実施の形態では、下敷き板付き入力デバイスをパソコンとともに使用し、上記入力デバイスＡ，Ｂ，Ｂ２への入力情報を上記パソコンのディスプレイに表示したが、上記各実施の形態におけるパソコンの機能と同様の機能を、上記入力デバイスＡ，Ｂ，Ｂ２または上記ディスプレイに付与し、パソコンを使用することなく、ディスプレイに表示するようにしてもよい。
【００８０】
また、上記各実施の形態において、下敷き板５１〜５９の、筆記用紙７０と接触する面に、筆記用紙７０を吸着する手段を設けてもよい。その手段としては、例えば、静電チャック方式，エア吸着方式，微粘着のシリコーンシート等があげられる。
【００８１】
つぎに、実施例について説明する。但し、本発明は、実施例に限定されるわけではない。
【実施例】
【００８２】
〔実施例１〕
〔下敷き板の作製〕
下敷き板の形成材料としてアルミニウム板を準備し、それを切削加工することにより、図１に示す、複数の円柱状の突起部が形成された下敷き板を作製した。上記突起部の外径を５ｍｍ、高さを５ｍｍとした。
【００８３】
〔アンダークラッド層の形成材料〕
成分Ａ：脂環骨格を含むエポキシ樹脂（ダイセル化学工業社製、ＥＨＰＥ３１５０）７５重量部。
成分Ｂ：エポキシ基含有アクリル系ポリマー（日油社製、マープルーフＧ−０１５０Ｍ）２５重量部。
成分Ｃ：光酸発生剤（サンアプロ社製、ＣＰＩ−２００Ｋ）４重量部。
これら成分Ａ〜Ｃを、紫外線吸収剤（チバジャパン社製、ＴＩＮＵＶＩＮ４７９）５重量部とともに、シクロヘキサノン（溶剤）に溶解することにより、アンダークラッド層の形成材料を調製した。
【００８４】
〔コアの形成材料〕
成分Ｄ：ビスフェノールＡ骨格を含むエポキシ樹脂（ジャパンエポキシレジン社製、１５７Ｓ７０）８５重量部。
成分Ｅ：ビスフェノールＡ骨格を含むエポキシ樹脂（ジャパンエポキシレジン社製、エピコート８２８）５重量部。
成分Ｆ：エポキシ基含有スチレン系ポリマー（日油社製、マープルーフＧ−０２５０ＳＰ）１０重量部。
これら成分Ｄ〜Ｆと上記成分Ｃ４重量部とを、乳酸エチルに溶解することにより、コアの形成材料を調製した。
【００８５】
〔オーバークラッド層の形成材料〕
成分Ｇ：脂環骨格を有するエポキシ樹脂（アデカ社製、ＥＰ４０８０Ｅ）１００重量部。
この成分Ｇと上記成分Ｃ２重量部とを混合することにより、オーバークラッド層の形成材料を調製した。
【００８６】
〔光導波路の作製〕
ステンレス製基板（厚み５０μｍ）の表面に、上記アンダークラッド層の形成材料を塗布した後、１６０℃×２分間の加熱処理を行い、感光性樹脂層を形成した。ついで、上記感光性樹脂層に対し、紫外線を照射して積算光量１０００ｍＪ／ｃｍ2 の露光を行い、厚み１０μｍのアンダークラッド層（波長８３０ｎｍにおける屈折率１．５１０）を形成した。
【００８７】
ついで、上記アンダークラッド層の表面に、上記コアの形成材料を塗布した後、１７０℃×３分間の加熱処理を行い、感光性樹脂層を形成した。つぎに、フォトマスクを介して（ギャップ１００μｍ）、紫外線を照射し、積算光量３０００ｍＪ／ｃｍ2 の露光を行った。つづいて、１２０℃×１０分間の加熱処理を行った。その後、現像液（γ−ブチロラクトン）を用い現像することにより、未露光部分を溶解除去した後、１２０℃×５分間の乾燥処理を行い、幅３０μｍ×高さ５０μｍのコア（波長８３０ｎｍにおける屈折率１．５７０）をパターン形成した。
【００８８】
ここで、オーバークラッド層形成用の、透光性を有する成形型を準備した。この成形型には、オーバークラッド層の表面形状に対応する型面を有する凹部が形成されている。そして、その凹部を上にして、成形型を成形ステージの上に設置し、その凹部に、上記オーバークラッド層の形成材料を充填した。
【００８９】
ついで、上記アンダークラッド層の表面にパターン形成したコアを、上記成形型の凹部に対して位置決めし、その状態で、上記アンダークラッド層を上記成形型に押圧し、上記オーバークラッド層の形成材料内に、上記コアを浸した。そして、この状態で、紫外線を、上記成形型を透して上記オーバークラッド層の形成材料に照射して積算光量８０００ｍＪ／ｃｍ2 の露光を行い、コアの先端部に対応するオーバークラッド層の部分が凸状のレンズ部に形成されたオーバークラッド層を形成した。その凸状のレンズ部は、側断面形状が略１／４円弧状のレンズ曲面（曲率半径１．４ｍｍ）を有するものであった。
【００９０】
つぎに、上記成形型から、上記オーバークラッド層を、上記基板，アンダークラッド層およびコアと共に脱型した。
【００９１】
そして、上記基板をアンダークラッド層から剥離し、アンダークラッド層，コアおよびオーバークラッド層からなる帯状の光導波路部分（総厚１ｍｍ）を得た。
【００９２】
〔入力デバイスの作製〕
つぎに、回路基板を準備し、それに、発光素子（Ｏｐｔｏｗｅｌｌ社製、ＳＭ８５−２Ｎ００１），受光素子（浜松ホトニクス社製、Ｓ−１０２２６），ＣＭＯＳ駆動ＣＰＵ，水晶振動子，無線モジュール，リチウムイオン電池（３．７Ｖ）等を搭載し、制御手段を作製した。
【００９３】
ここで、四角枠状のステンレス製保持板（厚み０．５０ｍｍ）を準備した。この保持板の入力用中空部は、縦３０ｃｍ×横３０ｃｍの四角形とした。そして、上記保持板の裏面に、放電加工することにより、上記下敷き板の突起部が挿入される挿入穴を形成した。この挿入穴の内径を５．５ｍｍとした。また、上記保持板の表面のうち、上記入力用中空部の外側部分に、上記帯状の光導波路部分を貼着し、四角枠状の光導波路を作製するとともに、上記制御手段を固定した。このとき、上記発光素子を光出射用のコアに接続し、上記受光素子を光入射用のコアに接続した。その後、上記オーバークラッド層のレンズ部を除く頂面と、上記制御手段の固定部分とを、四角枠状のステンレス製保護板（厚み０．５ｍｍ）で被覆し、図１に示す入力デバイスを得た。
【００９４】
〔下敷き板付き入力デバイスの作製〕
最後に、前記下敷き板の一端縁と上記入力デバイスの一端縁とに、軸体を挿入する挿入孔を形成し、これら挿入孔にその軸体を挿入した。これにより、上記入力デバイスと上記下敷き板とを、その一端縁を軸として相対的に回動自在に組み立て、図１に示す下敷き板付き入力デバイスを得た。
【００９５】
〔実施例２〕
〔入力デバイスの作製〕
上記実施例１と同様の四角枠状の保持板を形成し、その入力用中空部の対向する一方の周縁に、複数の発光ダイオード（シャープ社製、ＧＬ４８００Ｅ００００Ｆ）を並設し、他方の周縁に、複数のフォトダイオード（シャープ社製、ＰＤ４１１ＰＩ２Ｅ００Ｐ）を並設した。また、上記実施例１と同様に、回路基板に、ＣＭＯＳ駆動ＣＰＵ，水晶振動子，無線モジュール，２個のコイン型リチウム電池等を搭載して制御手段を作製し、それを上記保持板に固定した。ここで、上記発光ダイオード，フォトダイオード，制御手段を、四角枠状のステンレス製保護板（厚み０．５ｍｍ）で被覆し、図１８に示す入力デバイスを得た。
【００９６】
〔下敷き板付き入力デバイスの作製〕
上記実施例１と同様の下敷き板を形成し、その下敷き板と上記入力デバイスとを、上記実施例１と同様にして、回動自在に組み立て、下敷き板付き入力デバイスを得た。
【００９７】
〔入力デバイスの作動確認〕
資料等の情報を記憶したＵＳＢメモリとパソコンとを準備し、そのＵＳＢメモリの記憶情報を、上記パソコンを利用して、そのパソコンのディスプレイに表示した。なお、上記パソコンには、上記入力デバイスの四角枠状の光導波路の入力用中空部内の領域の座標を、ディスプレイの画面の座標に変換し、入力デバイスで入力した文字等をディスプレイに表示するソフトウェア（プログラム）が、組み込まれている。また、上記パソコンは、上記入力デバイスの無線モジュールからの電波（情報）を受信できるよう受信手段を備えており、上記パソコンと入力デバイスとを、無線で情報伝達可能に接続した。
【００９８】
そして、筆記用紙として、その一端縁部に複数の貫通孔が形成されているものを準備した。つぎに、上記実施例１，２の下敷き板付き入力デバイスを開き、上記筆記用紙の貫通孔に、上記下敷き板の複数の突起部を挿入し、上記筆記用紙を上記下敷き板の表面に載置した。その後、上記下敷き板付き入力デバイスを閉じ、上記筆記用紙の貫通孔の周辺部分を、上記下敷き板の表面の上記突起部の周辺部分と上記入力デバイスの裏面の上記挿入穴の周辺部分との間で挟持し、上記筆記用紙を固定した。ついで、上記入力用中空部内の領域から露呈する上記筆記用紙に、ペンで文字を記入した。その結果、その文字が、上記ディスプレイに表示されている資料等の情報に重ね合わさった状態で、表示された。しかも、上記筆記用紙は、位置ずれしなかった。そして、上記下敷き板付き入力デバイスを開き、上記筆記用紙を取り出した後、再度、その筆記用紙を、上記と同様にして、上記下敷き板付き入力デバイスに設置し、上記入力用中空部内の領域から露呈する上記筆記用紙に、ペンで文字を記入した。その結果、上記筆記用紙の記入情報と上記ディスプレイの表示情報とに位置ずれは生じなかった。
【００９９】
また、図９〜図１７に示す下敷き板付き入力デバイスを作製し、それを用いても、上記実施例１と同様の結果を得た。さらに、上記実施例２のように、図９〜図１７に示す下敷き板に対応する入力デバイスを作製し、その入力デバイスを取り付けた下敷き板付き入力デバイスを用いても、上記実施例２と同様の結果を得た。
【産業上の利用可能性】
【０１００】
本発明の下敷き板付き入力デバイスは、下敷き板と入力デバイスとの間に筆記用紙を挟持して固定し、その筆記用紙に記入した文字，図，印等の新たな情報を、ディスプレイに表示することに利用可能である。
【符号の説明】
【０１０１】
Ａ  入力デバイス
Ｓ  入力用中空部
Ｗ  光導波路
５１  下敷き板
５１ａ  突起部
７０  筆記用紙
【図１】
2013033444.tif 000003
【図２】
2013033444.tif 000004
【図３】
2013033444.tif 000005
【図４】
2013033444.tif 000006
【図５】
2013033444.tif 000007
【図６】
2013033444.tif 000008
【図７】
2013033444.tif 000009
【図８】
2013033444.tif 000010
【図９】
2013033444.tif 000011
【図１０】
2013033444.tif 000012
【図１１】
2013033444.tif 000013
【図１２】
2013033444.tif 000014
【図１３】
2013033444.tif 000015
【図１４】
2013033444.tif 000016
【図１５】
2013033444.tif 000017
【図１６】
2013033444.tif 000018
【図１７】
2013033444.tif 000019
【図１８】
2013033444.tif 000020
【図１９】
2013033444.tif 000021